(57)【特許請求の範囲】
【請求項１】
陰茎に装着されるコンドーム型の受尿器本体であって、その先端に蓄尿容器と接続される接続部が形成された受尿器本体と、
人体への装着時に股間の下方に設置されると共に、陰茎に装着された前記受尿器本体が前側開口から挿入される筒部であって、人体への装着時に股間の下方で前後に延在する筒部が形成された布状装着具と、
前記装着具の前側に一端が取り付けられた前側接続用紐と、前記装着具の後側に一端が取り付けられた後側接続用紐と、を有する接続部材と、を備え、
人体への装着時に、前記前側接続用紐の他端を人体の前側から人体に装着された部材に固定すると共に、前記後側接続用紐の他端を人体の後側から人体に装着された部材に固定することで、前記筒部が前後に延在するように股間の下方に設置された前記装着具の前側部分及び後側部分を上方に引っ張りながら前記装着具を装着するように構成されていることを特徴とする受尿器具。
【発明の詳細な説明】
【技術分野】
【０００１】
本発明は、男性の陰茎に装着し、尿を受けて導尿するための男性用受尿器具に関する。
【背景技術】
【０００２】
従来から、寝たきりの老人等の要介護者や失禁性排尿が生じる頸髄損傷者等の排尿の処理を適切に行うのは困難なため、排尿をサポートするための器具が色々と提供されている。
【０００３】
例えば、下記特許文献１及び２に開示されているように、離れた場所にある蓄尿タンクと導尿チューブで接続された筒状の受尿器を陰茎に装着し、排尿時には排尿を受尿器で受け止め、導尿チューブを介して蓄尿タンクに集める構成の採尿器が提供されている。
【０００４】
【特許文献１】特開平１０−２５８０９６号公報
【特許文献２】実開平５−５１２６号公報
【発明の開示】
【発明が解決しようとする課題】
【０００５】
上記特許文献１及び２においては、環状の弾性パッドを用いて筒状の受尿器を陰茎に装着しているが、装着者が寝返りをした場合や、立ち上がったり、歩いたりした場合には、受尿器が陰茎から外れたり、受尿器と陰茎との間に隙間が生じたりして、尿が外部に漏れてしまう。
【０００６】
本発明は、上記課題を解決するためになされた発明であり、受尿器本体を陰茎に装着して使用される受尿器具において、装着者が動いても、受尿器本体が陰茎から容易に外れたり、受尿器本体と陰茎との間から尿が漏れたりすることを防止できる受尿器具を提供することを目的とする。
【課題を解決するための手段】
【０００７】
上記課題を解決するために、本発明に係る受尿器具は、陰茎に装着されるコンドーム型の受尿器本体であって、その先端に蓄尿容器と接続される接続部が形成された受尿器本体と、人体への装着時に股間の下方に設置されると共に、陰茎に装着された前記受尿器本体が前側開口から挿入される筒部であって、人体への装着時に股間の下方で前後に延在する筒部が形成された布状装着具と、前記装着具の前側に一端が取り付けられた前側接続用紐と、前記装着具の後側に一端が取り付けられた後側接続用紐と、を有する接続部材と、を備え、人体への装着時に、前記前側接続用紐の他端を人体の前側から人体に装着された部材に固定すると共に、前記後側接続用紐の他端を人体の後側から人体に装着された部材に固定することで、前記筒部が前後に延在するように股間の下方に設置された前記装着具の前側部分及び後側部分を上方に引っ張りながら前記装着具を装着するように構成されていることを特徴とする。
【発明の効果】
【０００９】
本発明に係る受尿器具によれば、装着者が動いても、受尿器本体が陰茎から容易に外れたり、受尿器本体と陰茎との間から尿が漏れたりすることを防止できる。
【発明を実施するための最良の形態】
【００１０】
（第１実施形態）
以下、図面を参照しながら、本発明の第１実施形態について詳細に説明する。図１は、本実施形態に係る男性用の受尿器具の斜視図である。図２は、本実施形態に係る受尿器具を下方から見た斜視図である。
【００１１】
図１及び図２に示すように、受尿器具１は、装着具１０と、陰茎に装着されるコンドーム型の受尿器本体３０とを備えており、後述するように、陰茎に装着された受尿器本体３０が抜けないように、装着具１０によって受尿器本体３０がしっかりと人体に対して固定される。
【００１２】
図３は、本実施形態に係る装着具の斜視図、図４は、本実施形態に係る装着具の側縁部の縫い合わせ状態をイメージ的に示す概略図である。図３及び図４に示すように、装着具１０は、三枚の第１〜第３帯形布状部材１１，１２，１３の両側縁部が縫い合わされて構成されており、長辺方向における中央付近に筒状の筒部１０ａが形成されている。この筒部１０ａ内に受尿器本体３０が格納されて固定される。
【００１３】
装着具１０の前側端部には、装着具１０の前側を人体に固定するための接続部材として作用する前側ゴム紐１８が設けられており、装着具１０の後側端部には、装着具１０の後側を人体に固定するための接続部材として作用する後側ゴム紐１９が設けられている。本実施形態においては、このゴム紐１８，１９が後述する腰紐に引っ掛けられて、受尿器具１が人体に対して装着・固定される。
【００１４】
筒部１０ａにおいては、第１〜第３帯形布状部材１１，１２，１３によって、受尿器本体３０が装着された陰茎が挿入される筒が形成されている。図４に示すように、最も上側に位置する第１帯形布状部材１１と真ん中に位置する帯形布状部材１２とは、その重なった部分において、両側縁部が縫い合わされている。この両者に挟まれた筒状空間内に受尿器本体３０が通されて格納される。
【００１５】
第１帯形布状部材１１と第２帯形布状部材１２は、長辺方向の側縁部のみが縫い合わされており、それぞれの前側端や後側端等の短辺部は縫い合わされておらず、第１帯形布状部材１１の前側端（図４中の左側端）１５ａの箇所が、装着具１０の筒部１０ａの入口となる。第２帯形布状部材１２の後側端１５ｂの縁部は、受尿器本体３０を固定する際に、受尿器本体３０が装着された陰茎のカリ首に引っ掛けられることになる。
【００１６】
図４に示すように、第２帯形布状部材１２と第３帯形布状部材１３も側縁部が縫い合わされている。また、第２帯形布状部材１２の前側端１５ｃの短辺部は、第３帯形布状部材と縫い合わされている。一方、第２帯形布状部材１２の後側端１５ｂは、第１帯形布状部材１１及び第３帯形布状部材１３の何れとも縫い合わされておらず、上述したように、この後側端１５ｂの縁部は、受尿器本体３０が陰茎から抜けるのを防止すべく、陰茎の表側のカリ首に引っ掛けられる部分となる。ここで、陰茎の表側とは、非勃起状態の陰茎が自然に垂れ下がった状態で外側に向く側であり、陰茎小帯（裏筋）が位置する裏側の反対側である。
【００１７】
また、筒部１０ａの後側部分の第２帯形布状部材１２が存在しない箇所では、第１帯形布状部材１１と第３帯形布状部材１３の両側縁部が直接縫い合わされている。また、第３帯形布状部材１３の後側端１５ｄの短辺部は、第１帯形布状部材１１と縫い合わされておらず、後側の開口になっており、この開放端から筒部１０ａに格納されている受尿器本体３０の先端部分、すなわち導尿チューブと接続される受尿器本体１０の先端部分が突出する。
【００１８】
この筒部１０ａの後端の開放端には、図２に示すように、開口を絞るための紐２０が設けられており、筒部１０ａに格納した後、受尿器本体３０が開口から抜け出さないように開口を小さくすることが可能である。
【００１９】
このような構成の装着具１０本体の素材としては、種々の布を用いることができ、本実施形態では、ガーゼ生地を用いている。また、パンティストッキングに用いられるストッキング素材であるポリウレタンやナイロン等の合成繊維から形成された縦横に伸縮性の高い素材を用いても良い。
【００２０】
図５は、本実施形態に係る受尿器本体の斜視図である。同図に示すように、受尿器本体３０は、陰茎が挿入される薄筒部３１と、陰茎への装着時に陰茎先端の亀頭が位置すると共に導尿チューブが接続される先端接続部３４とから構成され、コンドーム型の形状をしている。
【００２１】
薄筒部３１は、薄さ0.05〜0.1mm程度のラテックスゴム製であり、直径3cm、長さ5cmの筒形状をしている。陰茎への装着時には、薄筒部３１の根元側の開口３２から陰茎が薄筒部３１内に挿入される。薄筒部３１の先端側には、先端接続部３４がつながっている。
【００２２】
先端接続部３４の根元側は、薄筒部３１と同等の直径であるが、徐々に先端側にいくにつれて細くなっており、先端部分は直径1cmの管部３５となっている。この先端接続部３４の管部３５に、つなぎ管等を介して蓄尿タンク（蓄尿容器）につながる導尿チューブが接続され、受尿器本体３０内の陰茎先端から放出された尿は、導尿チューブを通って足の太もも部分等に固定された蓄尿タンクへと送られる。
【００２３】
先端接続部３４もラテックスゴム製であるが、その厚みは1mm程度と薄筒部３１よりは厚く形成されており、外力によって変形させられても、直ぐに元の形状に戻る程度の自立性を有している。
【００２４】
以上、受尿器本体３０の構成について説明したが、もちろん、陰茎に良好にフィットできるのであれば、形状、大きさ、素材等は適宜変更可能である。特に、サイズについては、複数の大きさのサイズの受尿器本体を用意しておき、装着者の陰茎のサイズに合わせて選択的に使用するようにすれば良い。
【００２５】
続いて、図６を参照しながら受尿器具１の身体への装着状態について説明する。図６は、第１実施形態に係る受尿器具の装着状態を示す斜視図である。同図に示すように、受尿器具１は、装着具１０を、人体に装着された部材である、人体の腰の部分に装着された腰紐４０に取り付けることで、人体に装着される。腰紐４０は、輪状のゴム紐４５を有しており、ゴム紐４５は、腰に着実に固定できるように弾性力のあるゴム製である。ゴム紐４５の前側には、２つの前側固定用ボタン４１が設けられ、ゴム紐４５の後側には、２つの後側固定用ボタン４２が設けられている。
【００２６】
よって、図６に示すように、装着具１０の前側ゴム紐１８を２つの前側固定用ボタン４１に引っ掛け、後側ゴム紐１９を２つの後側固定用ボタン４２に引っ掛けることで、装着具１０が前方から上方へ、且つ、後方から上方へ引っ張られながら人体に装着される。このとき、陰茎が挿入されている受尿器本体３０も、装着具１０の筒部１０ａにおける内側下面（第２帯形布状部材１２の上面）によって、面接触で上方へ押されて、股間の下面に押しつけられる。
【００２７】
なお、陰茎は受尿器本体３０の根元側の開口３２から挿入されるので、受尿器具１を装着した状態では、陰茎は下方から後方に引っ張られた状態で、上方の股間に押しつけられた状態となる。したがって、受尿器本体３０から陰茎が抜けようとしても、受尿器本体３０と陰茎とが密着した状態で装着具１０によって股間に押しつけられているため、簡単に抜けることはなく、また、尿道から放出された尿が受尿器本体３０と陰茎との隙間を伝わって、開口３２から漏れるといったことを防止することができる。
【００２８】
また、装着具１０の第２帯形布状部材１２の後側端１５ｂの縁部が、受尿器本体３０越しに陰茎のカリ首に引っ掛けられるので、これによっても受尿器本体３０からの陰茎の抜けを防止することができる。なお、受尿器本体３０と陰茎との密着度を上げるために、さらに受尿器本体３０の周囲に伸縮性を有する包帯を２，３回巻き付けるようにしても良い。
【００２９】
また、本実施形態では、装着具１０のゴム紐１８，１９を腰に装着された腰紐４０に取り付けることで受尿器具１を人体に対して装着・固定するように構成したが、腰紐ではなく、肩に回された紐に接続したり、受尿器具１を下着の中に装着するようにして、下着の上部に接続固定したりするようにしても良く、装着具１０を前方及び後方から上方に押しつけて装着できるのであれば、接続部材としてのゴム紐１８，１９は任意の位置に固定することができる。
【００３０】
以上、本実施形態に係る受尿器具１の構成について詳細に説明したが、続いて、この受尿器具１を人体に装着する際の手順について説明する。まず、開口３２から陰茎を挿入して受尿器本体３０を陰茎に装着する。このとき、コンドームを装着するときと同様に、受尿器本体３０の薄筒部３１を予めロール状に巻いておき、亀頭側からロール部分を広げることで陰茎を包み込むように装着すると良い。また、亀頭部分の包皮を剥いて亀頭を露出させた状態で受尿器本体３０を装着することが望ましい。
【００３１】
続いて、受尿器本体３０の先端側を装着具１０の筒部１０ａ内に前側の入口（第１帯形布状部材１１の前側端１５ａの部分）から挿入する。そして、受尿器本体３０の先端接続部３４の管部３５を筒部１０ａの後側の開口（第３帯形布状部材１３の後側端１５ｄの部分）から突出させ、紐２０を結んで先端接続部３４の管部３５を装着具１０に縛り付ける。
【００３２】
そして、受尿器本体３０と共に陰茎を下方から後側に引っ張った状態で、装着具１０のゴム紐１８，１９を腰に装着されている腰紐４０に取り付ける。そうすると、装着具１０の前側は前方上方に引っ張られ、後側は後方上方に引っ張られるので、装着具１０を介して、受尿器本体３０が装着された陰茎が下方から後方に引っ張られた状態で上方の股間に押しつけられて固定されることになる。このとき、陰嚢も陰茎によって押し上げられて、股間に押しつけられることになる。
【００３３】
このとき、導尿チューブと接続される受尿器本体３０の管部３５は、両足に挟まれた股間の下に位置することになるので、受尿器具１の装着者が足を動かしたり、歩いたりしても、受尿器本体３０が陰茎から外れたり、導尿チューブが管部３５から抜けたりといったリスクを大幅に減らすことができる。
【００３４】
以上、第１実施形態に係る受尿器具について説明したが、本実施形態は、本発明の趣旨を逸脱しない範囲内で種々の変形が可能であることは言うまでもない。例えば、本実施形態では、受尿器本体と装着具とを別体の構成としたが、接着剤で接着する等して、一体の構成としても良い。一体の構成とすれば、受尿器本体と装着具とが滑ってずれることもなく、さらに安定して受尿器具を装着することができる。
【００３５】
また、本実施形態では、装着具を腰紐に固定するために紐とボタンを用いているが、例えば、面ファスナー、いわゆるマジックテープ（登録商標）等、手軽に着脱可能な接続部材であれば、適宜他の接続部材を採用して固定するようにしても良い。
【００３６】
（第２実施形態）
続いて、図７乃至図１０を参照しながら本発明の第２実施形態について詳細に説明する。図７は、第２実施形態に係る受尿器具の装着状態（カバーを除く）を示す斜視図、図８は、第２実施形態に係る装着具の斜視図、図９は、第２実施形態に係る腰紐の斜視図、図１０は、第２実施形態に係るカバーの斜視図である。
【００３７】
図７に示すように、本実施形態に係る受尿器具２は、装着具５０と、受尿器本体３０とを備えている。ここで、受尿器本体３０の構成は上記第１実施形態と同じであるため、説明を省略する。
【００３８】
図８に示すように、装着具５０は、第１帯形布状部材５１、第２帯形布状部材５２、接続紐５４，５５から構成されており、第１帯形布状部材５１と第２帯形布状部材５２の側縁部が縫い合わされて、筒部５０ａが形成されている。第１帯形布状部材５１は、第２帯形布状部材５２の４分の１程度の長さであり、両者の後端側の位置が合わされている。また、筒部５０ａの前後端共に開放端であり、装着時には、筒部５０ａ内を受尿器本体３０が通される。
【００３９】
第２帯形布状部材５２の前側端部の両端には、接続部材としての接続紐５４，５４が縫い付けられ、第２帯形布状部材５２の後側端部の両端には、接続部材としての接続紐５５，５５が縫い付けられている。これら接続紐５４，５５を介して、装着具５０が腰紐６０に接続され、人体に装着される。
【００４０】
図９に示すように、腰紐６０は、第１実施形態の腰紐４０と同様に輪状のゴム紐６１を有している。ゴム紐６１の前側には、４つの前側固定用ボタン６２ａ〜６２ｄが設けられ、後側にも４つの固定用ボタン６３ａ〜６３ｄが設けられている。
【００４１】
図１０に示すように、カバー７０は、長方形状のカバー本体７１と、カバー本体７１の前側の隅に設けられた装着用吊り紐７２ａ〜７２ｄと、カバー本体７１の後側の隅に設けられた装着用吊り紐７３ａ，７３ｂとを備えている。カバー本体７１の前側半分は、真ん中に切れ目が入れられており、二つに分かれた部分にそれぞれ装着用吊り紐７２ａと７２ｂ、７２ｃと７２ｄが取り付けられている。
【００４２】
さらに、図９に示すように、カバー７０の装着時に、カバー本体７１の２つに分かれた部分がクロスするように、装着用吊り紐７２ｂ，７２ｃがクロスして、装着用吊り紐７２ｂが固定用ボタン６２ｃに引っ掛けられ、装着用吊り紐７２ｃが固定用ボタン６２ｂに引っ掛けられて装着される。なお、カバー本体７１は、肌触りを考慮して、絹（シルク）製の織物である。
【００４３】
このように、カバー７０を装着することで、受尿器具２を含めて股間を覆い隠すことができる。また、カバー本体７１に切れ目が入れられ、カバー７０が股割れの構造になっていれば、この切れ目の部分に受尿器本体３０の先端の管部３５に接続される導尿チューブを通すことで、導尿チューブを外すことなく、カバー７０を着替えたりすることが可能となる。
【００４４】
以上、第２実施形態に係る受尿器具２の構成について説明したが、この受尿器具２も上記第１実施形態と同様に人体に装着される。なお、第２実施形態では、第２帯形布状部材５２の上面による面接触で、受尿器本体３０が装着された陰茎が股間に押しつけられると共に、第２帯形布状部材５２の後側端の縁部が、受尿器本体３０越しに陰茎の表側のカリ首に引っ掛けられることで、受尿器本体３０がしっかりと陰茎に固定される。
【００４５】
よって、本実施形態によれば、上記第１実施形態と同様の作用効果を奏すると共に、装着具５０がシンプルな構成であるため、低コストで簡単に装着可能な受尿器具を提供することができる。
【００４６】
（第３実施形態）
続いて、図１１を参照しながら本発明の第３実施形態について詳細に説明する。図１１は、第３実施形態に係る受尿器具の装着状態を概略的に示す側面図である。同図に示すように、第３実施形態に係る受尿器具３は、装着具５０と、受尿器本体８０とから構成され、装着具５０の接続紐が腰紐４０につながれることで人体に装着される。
【００４７】
また、本実施形態では、受尿器本体８０の先端の管部８５は、導尿チューブを介することなく、尿を溜めておく蓄尿容器としての蓄尿袋９０に直接接続されている。なお、第３実施形態において、上記第１及び第２実施形態と同様の部材には同じ番号を付し、説明を省略する。
【００４８】
第３実施形態に係る受尿器本体８０は、上記実施形態の受尿器本体３０と同じような構成であるが、管部８５を含む先端接続部も薄筒部と同様の薄さ（0.05〜0.1mm程度）で構成されている点で異なっている。このため、本実施形態に係る管部８５は柔軟に曲げることが可能であり、図１１に示すように、人体への装着時には、管部８５において180度折れ曲がり、管部８５の先端が前方を向いた状態となっている。
【００４９】
蓄尿袋９０は、ポリオレフィン製の厚さ0.01〜0.05mm程度の変形自在な袋であり、図１１に示すように、股間の前側から下側辺りにかけて設置される。上述したように、装着具５０によって陰茎を股間に押しつけて固定すると、陰茎及び陰嚢が持ち上げられた状態となり、自然な状態で陰茎及び陰嚢が垂れ下がって位置していた場所が空くため、このちょうど空いた空間に蓄尿袋９０が設置される。
【００５０】
この股間の前側から下側の空間に蓄尿袋９０を設置するため、蓄尿袋９０の前側には接続紐９２の一端が取り付けられており、接続紐９２の他端が腰紐４０の前側固定用ボタンに引っ掛けられる。また、蓄尿袋９０の前側には、止水栓付きの排出口９４が設けられており、止水栓を開けることで、排出口９４から蓄尿袋９０内に溜まった尿を排出することができる。このように、蓄尿袋９０に排出口９４を設置すれば、受尿器具３を装着したままで、必要に応じてトイレ等で手軽に蓄尿袋９０内の尿を排出して空にすることができるし、蓄尿袋９０内に尿が溜まっていなくても、一回分の排尿をトイレでそのまま排出することもできる。
【００５１】
なお、コンドーム型の受尿器本体８０の先端部分を5cm程度余らせて陰茎に装着しておけば、先端部分にある程度（30cc程度）の尿を溜めることができ、亀頭部分の乾燥も防ぐことができる。
【００５２】
本実施形態によれば、上記第１実施形態と同様の作用効果を奏すると共に、受尿器本体で受けた尿を、導尿チューブを介して足に固定した蓄尿タンクまで運ぶ必要がなく、構造が簡単になるので、外部に尿が漏れるのをさらに防止できると共に、コストも低減させることができる。
【００５３】
また、本実施形態によれば、両足の周囲に導尿チューブ等のような邪魔するものが無いので、受尿器具及び蓄尿袋を装着したままで快適な歩行が可能である。
【図面の簡単な説明】
【００５４】
【図１】図１は、第１実施形態に係る受尿器具の斜視図である。
【図２】図２は、第１実施形態に係る受尿器具を下方から見た斜視図である。
【図３】図３は、第１実施形態に係る装着具の斜視図である。
【図４】図４は、第１実施形態に係る装着具の側縁部の縫い合わせ状態をイメージ的に示す概略図である。
【図５】図５は、第１実施形態に係る受尿器本体の斜視図である。
【図６】図６は、第１実施形態に係る受尿器具の装着状態を示す斜視図である。
【図７】図７は、第２実施形態に係る受尿器具の装着状態を示す斜視図である。
【図８】図８は、第２実施形態に係る装着具の斜視図である。
【図９】図９は、第２実施形態に係る腰紐の斜視図である。
【図１０】図１０は、第２実施形態に係るカバーの斜視図である。
【図１１】図１１は、第３実施形態に係る受尿器具の装着状態を概略的に示す側面図である。
【符号の説明】
【００５５】
１，２，３      受尿器具
１０，５０      装着具
１０ａ，５０ａ  筒部
１１，５１      第１帯形布状部材
１２，５２      第２帯形布状部材
１３            第３帯形布状部材
１８，１９      ゴム紐
５４，５５      接続紐
３０，８０      受尿器本体
３１            薄筒部
３４            先端接続部
３５，８５      管部
４０，６０      腰紐
７０            カバー
９０            蓄尿袋
【要約】
【課題】受尿器本体を陰茎に装着して使用される受尿器具において、装着者が動いても、受尿器本体が陰茎から容易に外れたり、尿が漏れたりすることを防止できる受尿器具を提供する。
【解決手段】本実施形態に係る受尿器具１は、装着具１０と、陰茎に装着されるコンドーム型の受尿器本体３０とを備えており、陰茎に装着された受尿器本体３０が抜けないように、装着具１０によって受尿器本体３０がしっかりと人体に対して固定される。装着具１０は、前側ゴム紐１８を腰に装着された腰紐４０の前側に、後側ゴム紐１９を同じく腰紐４０の後側に取り付けることで、人体に装着される。このとき、陰茎に装着されて装着具１０の筒部１０ａに通されている受尿器本体３０は、筒部１０ａにおける内側下面（第２帯形布状部材１２の上面）によって、面接触で上方へ押されて、股間の下面に押しつけられて固定される。
【選択図】図６【図１】
0004233057.tif 000002
【図２】
0004233057.tif 000003
【図３】
0004233057.tif 000004
【図４】
0004233057.tif 000005
【図５】
0004233057.tif 000006
【図６】
0004233057.tif 000007
【図７】
0004233057.tif 000008
【図８】
0004233057.tif 000009
【図９】
0004233057.tif 000010
【図１０】
0004233057.tif 000011
【図１１】
0004233057.tif 000012